(57)【要約】      （修正有）【課題】頭部の保護機能に加えて、保冷、保温、防臭、消臭と多機能を奏する多機能帽子の提供。【解決手段】帽体の後半部が、着用者の後頭部を覆うように、半カップ状に曲面して下方へ延設して後頭覆い部を一体に形成し、着用者の耳部と対向する帽体の左右の耳部対向下周縁は、帽体の後半部の後頭覆い部下周縁から前方へ、耳部を中心とする半径で、上方へ耳部と離隔して登り下方へ降る湾曲縁に形成し、帽体の前半部の前半部下周縁に接続すると共に前半部下周縁に接続する鍔部の基端側周縁とも接続してなる。【選択図】図３
0003137200.tif 000002
【実用新案登録請求の範囲】
【請求項１】
帽体の後半部が、着用者の後頭部を覆うように、半カップ状に曲面して下方へ延設して後頭覆い部を一体に形成し、着用者の耳部と対向する帽体の左右の耳部対向下周縁は、帽体の後半部の後頭覆い部下周縁から前方へ、耳部を中心とする半径で、上方へ耳部と離隔して登り下方へ降る湾曲縁に形成し、帽体の前半部の前半部下周縁に接続すると共に前半部下周縁に接続する鍔部の基端側周縁とも接続してなる多機能帽子。
【請求項２】
前記帽体における後半部の内側と前半部の内側に連続するポケット用内壁部を、その下周縁を帽体の後半部の後頭覆い部下周縁、耳部対向下周縁及び前半部下周縁に接続した鍔部の基端側周縁に夫々接続して設け、帽体における後半部の内側と前半部の内側とポケット用内壁部の間をポッケットに構成してなる請求項１の多機能帽子。
【請求項３】
前記帽体における後半部の内側と前半部の内側において、前記ポケット用内壁部を配備した残部の前半部下周縁と一致する鍔部の基端周縁の接続部にスベリを配備してなる請求項２の多機能帽子。
【考案の詳細な説明】
【技術分野】
【０００１】
本発明は、頭部の保護機能に加えて、保冷、保温、防臭、消臭と多機能を奏する多機能帽子に関するものである。
【背景技術】
【０００２】
従来、特定の機能を持つ帽子は、各種提案されているが、特許文献１には、頭部に冠着する帽子トップクラウン部１の後部に、着用者の後頭部に延び、上端に涼冷媒体投入口１０を形成した涼冷媒体袋１１を一体又は着脱可能に構成し、涼冷媒体袋１１に砕いた氷塊、或は畜冷剤等の涼冷媒体を収容して使用する後頭部まで覆う帽子が開示されている。
特許文献２には、布製の帽体に保護材を装着して構成される保護帽子であって、前記帽体は、頭部全体を覆うように形成され、前記保護材は前記帽体内にあって、少なくも後頭部、頂部、側頭部を覆うように構成された硬質樹脂製のシェルと、その内側に貼り付けられた所要厚さのスポンジ状緩衝材とから構成することが開示されている。
特許文献３には、帽子本体の下部開口を巡る周縁部のうち、左右両側周縁部の後方には、ツバに対向して帽子本体から連続して左右周縁部より下方へ向けて延びた後面側周縁部を形成し、該後面側周縁部の帽子の後中央部に位置する部分には、左右両端部が固定された伸縮自在なバンドと、このバンドを伸縮自在な状態に包み込む包装部とを略水平方向に形成し、左右両側周縁部の後部とバンド固定部とは左右両側周縁部から斜め下方に向かう傾斜周縁部で結ばれてなる帽子が開示されている。
【特許文献１】実開平６−１２４３４号
【特許文献２】実登第３０８５５４３号
【特許文献３】特開２００５−２９９１１号
【考案の開示】
【考案が解決しようとする課題】
【０００３】
前記特許文献１の帽子は、帽子本体の後部に着用者の後頭部に延びる涼冷媒体袋を取付けるものであるから、着用者の後頭部は涼冷媒体袋によって覆われ、直射日光を遮断することができ、また、涼冷媒体により冷却することができる。しかし、後頭部の保護という観点から、涼冷媒体袋は垂下するだけで転倒時には揺動し、後頭部保護の機能を発揮することができないものである。
【０００４】
前記特許文献２の帽子は、着用者の後頭部、頂頭部及び側頭部を保護するものであるから、保護材は、着用者の頭部と密着を確保することから、着用者に適合するサイズを多数用意しなければならない欠点がある。
【０００５】
前記特許文献３の帽子は、後頭部まで覆う形状であるので、後頭部まで保護できるが、外面に関する構成なので、帽体内部における構成からの保護、保冷及び保暖機能に欠け、また、単に、左右両側周縁部の後方に、ツバに対向して帽子本体から連続して左右周縁部より下方へ向けて延びた後面側周縁部を形成するから、従来と同様に、下部開口を巡る周縁部の側周縁部が帽子本体の眼鏡、サングラスの枠金と衝突し、スムーズな着脱に支障となる欠点がある。
【０００６】
本発明は、かかる欠点を解消し、さらに、新しい機能を追加し、多機能を奏する多機能帽子の提供を目的とするものである。
【課題を解決するための手段】
【０００７】
帽体の後半部が、着用者の後頭部を覆うように、半カップ状に曲面して下方へ延設して後頭覆い部を一体に形成し、着用者の耳部と対向する帽体の左右の耳部対向下周縁は、帽体の後半部の後頭覆い部下周縁から前方へ、耳部を中心とする半径で、上方へ耳部と離隔して登り下方へ降る湾曲縁に形成し、帽体の前半部の前半部下周縁に接続すると共に前半部下周縁に接続する鍔部の基端側周縁とも接続してなる多機能帽子にある。
【０００８】
前記帽体における後半部の内側と前半部の内側に連続するポケット用内壁部を、その下周縁を帽体の後半部の後頭覆い部下周縁、耳部対向下周縁及び前半部下周縁に接続した鍔部の基端側周縁に夫々接続して設け、帽体における後半部の内側と前半部の内側とポケット用内壁部の間をポケットに構成してもよいものである。
【０００９】
前記帽体における後半部の内側と前半部の内側において、前記ポケット用内壁部を配備した残部の前半部下周縁と一致する鍔部の基端周縁の接続部にスベリを配備してもよいものである。
【考案の効果】
【００１０】
本発明の多機能帽子は、前記のようになるから、着用者の頭部が発汗すると、その汗が後頭覆い部を保湿し、その気化熱で後頭部を冷やすことができる。
【００１１】
また、後頭覆い部を水で濡らすことにより、その気化熱で着用者の後頭部を充分に冷やすことができるものである。
【００１２】
また、後頭覆い部は着用者の後頭部を受ける衝撃から保護するものである。
【００１３】
また、帽対の後頭覆い部が後頭部により支えられることにより充分な保持力を備えてスポーツや作業時、帽体のズレ、外れを防ぐものである。
【００１４】
また、帽体は、着用者の耳部と対向する部分がサイドカットされるからコメカミへの圧迫感をなくすものである。
【００１５】
また、前記帽体のサイドカットにより眼鏡、サングラスと帽子とが干渉しないから、サングラスを掛けたままスムーズに帽子を着脱することができるものである。
【００１６】
また、帽体の内側に配備するポケットに脱臭剤、消臭剤を収容することができ、脱臭、消臭に効果がある。
【考案を実施するための最良の形態】
【００１７】
帽体の後半部が、着用者の後頭部を覆うように、半カップ状に曲面して下方へ延設して後頭覆い部を一体に形成し、着用者の耳部と対向する帽体の左右の耳部対向下周縁は、帽体の後半部の後頭覆い部下周縁から前方へ、耳部を中心とする半径で、上方へ耳部と離隔して登り下方へ降る湾曲縁に形成し、帽体の前半部の前半部下周縁に接続すると共に前半部下周縁に接続する鍔部の基端側周縁とも接続し、前記帽体における後半部の内側と前半部の内側に連続するポケット用内壁部を、その下周縁を帽体の後半部の後頭覆い部下周縁、耳部対向下周縁及び前半部下周縁に接続した鍔部の基端側周縁に夫々接続して設け、帽体における後半部の内側と前半部の内側とポケット用内壁部の間をポケットに構成し、前記帽体における後半部の内側と前半部の内側において、前記ポケット用内壁部を配備した残部の前半部下周縁と一致する鍔部の基端周縁の接続部にスベリを配備してなる多機能帽子。
【実施例】
【００１８】
以下、本発明の多機能帽子を実施例の一例を示す図面により説明すると、図面に示す実施例の多機能帽子１の帽体１ａは、図１〜図４に示すように、後半部１ａ１が、着用者２の後頭部を覆うように、半カップ状に曲面して下方へ延設して後頭覆い部１ａ１１を一体に形成し、着用者２の耳部２ａと対向する帽体１ａの左右の耳部対向下周縁３ａ、３ａは、帽体１ａの後半部１ａ１の後頭覆い部下周縁３ｂから前方へ、耳部２ａを中心とする半径で、上方へ耳部２ａと離隔して登り下方へ降る湾曲縁に形成し、帽体１ａの前半部１ａ２の前半部下周縁３ｃに接続すると共に前半部下周縁３ｃに接続する鍔部４の基端側周縁４ａ、４ａとも接続するものである。
【００１９】
前記帽体１ａにおける後半部１ａ１の内側と前半部１ａ２の内側に連続するポケット用内壁部５を、その下周縁５ａを帽体１ａの後半部１ａ１の後頭覆い部下周縁３ｂ、耳部対向下周縁３ａ、３ａ及び前半部下周縁３ｃに接続した鍔部４の基端側周縁４ａに夫々接続して設け、帽体１ａにおける後半部１ａ１の内側と前半部１ａ２の内側とポケット用内壁部５の間をポケット６に構成している。
【００２０】
前記帽体１ａにおける後半部１ａ１の内側と前半部１ａ２の内側において、前記ポケット用内壁部５を配備した残部の前半部下周縁３ｃと一致する鍔部４の基端周縁４ｂの接続部にスベリ７を配備している。
【００２１】
本発明の実施例の多機能帽子は、前述のように構成されて帽体１ａの後半部１ａ１には半カップ状に曲面した後頭部覆い部１ａ１１が一体に形成されるものであるから、発汗した汗の気化熱で着用者の後頭部を冷却することができるものである。
【００２２】
また、後頭部覆い部１ａ１１を水で濡らすことにより冷却することができる。
【００２３】
また、前記帽体１ａの内側にポケット用内壁部５を設けているから、該ポケットに吸水剤を収容することによって長時間に渡って冷却することができる。また、冷却剤を収容すれば、同じく長時間に渡って低温度に冷却することができる。また、発熱剤を収容すれば、保温効果も得られる。
【００２４】
また、後頭部覆い部１ａ１１は、着用者の後頭部を保護することができる。特に、内側にポケット用内壁部５は、緩衝機能を発揮して後頭部を確実に保護することができ、さらに、ポケットに緩衝材を収容することによって、着用者の後頭部は勿論、頂頭部及び側頭部まで保護範囲を拡大することができる。
【００２５】
また、帽体１ａは、着用者の後頭部まで支えるから、スポーツや作業時におけるズレ、外れを防止できる。
【００２６】
また、帽体の側周の下縁がカットされるサイドカットにより、着用時、コメカミへの圧迫をなくし、締付けによる着用者の疲労を軽減ができる。
【００２７】
また、前記帽体１ａの左右の耳部対向下周縁３ａ、３ａは、サイドカットにより構成されるから、眼鏡、サングラスの掛け枠と帽子とが干渉しなくなり、眼鏡、サングラスを掛けたまま帽子をスムーズに着脱することができる。
【産業上の利用可能性】
【００２８】
本発明の多機能帽子は、以上のようになるから、一般用からスポーツ用まで後頭部を含めた頭部の保護機能に加えて、保冷、保温、防臭、消臭と多機能を奏し、需要の拡大に寄与するものである。
【図面の簡単な説明】
【００２９】
【図１】本発明の多機能帽子の外観側面図である。
【図２】同じく、背面からの外観斜視図である。
【図３】同じく、底面からの内面斜視図である。
【図４】同じく、中央縦断面図である。
【符号の説明】
【００３０】
１  多機能帽子
１ａ  帽体
１ａ１  後半部
１ａ１１  後頭覆い部
１ａ２  前半部
２  着用者
２ａ  耳部
３ａ  耳部対向下周縁
３ｂ  後頭覆い部下周縁
３ｃ  前半部下周縁
４  鍔部
４ａ  基端側周縁
４ｂ  基端周縁
５  ポケット用内壁部
５ａ  下周縁
６  ポッケット
７  スベリ
【図１】
0003137200.tif 000003
【図２】
0003137200.tif 000004
【図３】
0003137200.tif 000005
【図４】
0003137200.tif 000006